(57)【要約】【課題】映像の周波数成分が低い領域において、無線による映像信号の伝送方式がＷＨＤＩ伝送方式であることに起因して発生するノイズを低減することができる映像表示装置を提供する。【解決手段】投写型映像表示装置は、送信機により無線で伝送された映像信号を受信するとともに、受信した映像信号に基づいて映像を表示するものである。投写型映像表示装置は、映像を構成する所定の画素が有する第１の輝度が、所定の画素の近傍に位置する近傍画素が有する第２の輝度に比べて小さい場合に、第１の輝度を補正することにより、映像に発生するノイズを低減するノイズ低減回路３３を備えている。【選択図】図４
2010074670.tif 000002
【特許請求の範囲】
【請求項１】
送信機により無線で伝送された映像信号を受信するとともに、受信した前記映像信号に基づいて映像を表示する映像表示装置であって、
前記映像を構成する所定の画素が有する第１の輝度が、前記所定の画素の近傍に位置する近傍画素が有する第２の輝度に比べて小さい場合に、前記第１の輝度を補正することにより、前記映像に発生するノイズを低減するノイズ低減回路を備える
ことを特徴とする映像表示装置。
【請求項２】
請求項１に記載の映像表示装置において、
前記ノイズ低減回路は、
前記第１の輝度と、前記第２の輝度との差分に関するデータを取得する差分データ取得部と、
前記差分に関するデータに基づき、前記ノイズを低減するための補正係数を取得する補正係数取得部と、
前記補正係数を用いて前記第１の輝度を補正する輝度補正部とを備える
ことを特徴とする映像表示装置。
【請求項３】
請求項２に記載の映像表示装置において、
前記輝度補正部は、前記補正係数と前記第２の輝度を用いて前記第１の輝度を補正する
ことを特徴とする映像表示装置。
【請求項４】
請求項３に記載の映像表示装置において、
前記補正係数取得部は、前記補正係数として第１の補正係数と第２の補正係数とを取得し、
前記輝度補正部は、前記第１の輝度を補正するために所定の演算処理を行い、前記所定の演算処理として、前記第１の輝度と前記第１の補正係数を少なくとも掛け合わせた第１の積を算出して、前記第２の輝度と前記第２の補正係数を少なくとも掛け合わせた第２の積を算出して、さらに、前記第１の積と前記第２の積とを足し合わせる処理を行う
ことを特徴とする映像表示装置。
【請求項５】
請求項４に記載の映像表示装置において、
第１の補正係数は、第１の輝度と第２の輝度との差分が大きくなるにつれて大きくなり、第２の補正係数は、第１の輝度と第２の輝度との差分が大きくなるにつれて小さくなる
ことを特徴とする映像表示装置。
【請求項６】
請求項２〜５のいずれか一項に記載の映像表示装置において、
前記差分データ取得部は、前記差分に関するデータとして、前記第１の輝度と、前記所定の画素の近傍に位置する複数の近傍画素の各々が有する第２の輝度との差分を取得し、取得した複数の差分の平均を算出する
ことを特徴とする映像表示装置。
【請求項７】
請求項１〜６のいずれか一項に記載の映像表示装置において、
前記ノイズ低減回路は、前記第１の輝度及び前記第２の輝度として色差空間の輝度を前記映像信号から取得する輝度取得部をさらに備える
ことを特徴とする映像表示装置。
【発明の詳細な説明】
【技術分野】
【０００１】
本発明は、送信機により無線で伝送された映像信号を受信するとともに、受信した映像信号に基づいて映像を表示する映像表示装置に関する。
【背景技術】
【０００２】
近年、無線伝送技術の発展に伴い、ＤＶＤプレーヤー等の映像信号出力装置により出力される映像信号を無線により伝送して、遠隔に位置する映像表示装置に映像を表示させる映像表示システムが知られている（例えば、特許文献１参照）。
【０００３】
また、ハイビジョンの映像信号を無線で伝送する方式としてＷＨＤＩ伝送方式が知られている。ＷＨＤＩ伝送方式においては、デジタル方式の映像信号に含まれる情報ビットの重要性に応じて、誤り訂正における符号化率を変化させている。
【０００４】
具体的には、映像を構成する画素の輝度を示す情報ビットのうち、視覚重要度の高い情報ビットは、視覚重要度の低い情報ビットに比べて、誤り訂正による保護が強くなるように符号化を行っている。このように符号化率を変化させることにより、映像信号出力装置に接続された送信機から、映像表示装置に接続された受信機へ、ハイビジョンの映像信号を伝送することができる。
【特許文献１】特開２００４−３４３７２５号公報
【発明の開示】
【発明が解決しようとする課題】
【０００５】
しかしながら、視覚重要度の低い情報ビットは誤り訂正による保護が弱いため、映像の周波数成分が低い領域（即ち、輝度の変化が少ない領域）において、画像データの情報ビットが無線伝送において欠落した場合に、映像を構成する画素の輝度が元の輝度と異なる輝度となり、ノイズが発生するという問題があった。
【０００６】
本発明は、こうした実情に鑑みてなされたものであり、その目的は、映像の周波数成分が低い領域において、無線による映像信号の伝送方式がＷＨＤＩ伝送方式であることに起因して発生するノイズを低減することができる映像表示装置を提供することにある。
【課題を解決するための手段】
【０００７】
請求項１に記載の発明は、送信機により無線で伝送された映像信号を受信するとともに、受信した前記映像信号に基づいて映像を表示する映像表示装置であって、前記映像を構成する所定の画素が有する第１の輝度が、前記所定の画素の近傍に位置する近傍画素が有する第２の輝度に比べて小さい場合に、前記第１の輝度を補正することにより、前記映像に発生するノイズを低減するノイズ低減回路を備えることを要旨としている。
【０００８】
この発明によれば、近傍画素が有する第２の輝度よりも小さい第１の輝度を補正することにより、映像に発生するノイズを低減するノイズ低減回路を備えているため、このノイズ低減回路に受信した映像信号を入力することにより、例えば、映像の周波数成分が低い領域において、無線による映像信号の伝送方式がＷＨＤＩ伝送方式であることに起因して発生するノイズを低減することができる。
【０００９】
請求項２に記載の発明は、請求項１に記載の映像表示装置において、前記ノイズ低減回路は、前記第１の輝度と、前記第２の輝度との差分に関するデータを取得する差分データ取得部と、前記差分に関するデータに基づき、前記ノイズを低減するための補正係数を取得する補正係数取得部と、前記補正係数を用いて前記第１の輝度を補正する輝度補正部とを備えることを要旨としている。
【００１０】
この発明によれば、映像を構成する所定の画素が有する第１の輝度と、所定の画素の近傍に位置する近傍画素が有する第２の輝度との差分に関するデータを取得する差分データ取得部を備えているため、映像の周波数成分が低い領域を検出することができる。そして、第１の輝度と第２の輝度との差分に関するデータに基づき取得された補正係数を用いて、第１の輝度を補正するため、補正係数と第１の輝度を用いて演算処理を行うことにより、映像に発生するノイズを低減することができる。
【００１１】
請求項３に記載の発明は、請求項２に記載の映像表示装置において、前記輝度補正部は、前記補正係数と前記第２の輝度を用いて前記第１の輝度を補正することを要旨としている。
【００１２】
この発明によれば、第１の輝度と第２の輝度との差分に関するデータに基づき取得された補正係数と近傍画素が有する第２の輝度を用いて、第１の輝度を補正するため、補正係数と第１の輝度と第２の輝度を用いて演算処理を行うことにより、映像に発生するノイズを効果的に低減することができる。
【００１３】
請求項４に記載の発明は、請求項３に記載の映像表示装置において、前記補正係数取得部は、前記補正係数として第１の補正係数と第２の補正係数とを取得し、前記輝度補正部は、前記第１の輝度を補正するために所定の演算処理を行い、前記所定の演算処理として、前記第１の輝度と前記第１の補正係数を少なくとも掛け合わせた第１の積を算出して、前記第２の輝度と前記第２の補正係数を少なくとも掛け合わせた第２の積を算出して、さらに、前記第１の積と前記第２の積とを足し合わせる処理を行うことを要旨としている。
【００１４】
この発明によれば、輝度補正部は、第１の輝度を補正するための所定の演算処理として、第１の積及び第２の積を算出して足し合わせる処理を行う。このため、掛けて足し合わせる簡単な演算処理を行うことにより、映像に発生するノイズを低減することができる。
【００１５】
請求項５に記載の発明は、請求項４に記載の映像表示装置において、第１の補正係数は、第１の輝度と第２の輝度との差分が大きくなるにつれて大きくなり、第２の補正係数は、第１の輝度と第２の輝度との差分が大きくなるにつれて小さくなることを要旨としている。
【００１６】
この発明によれば、第１の輝度と第２の輝度との差分が大きくなるにつれて、輝度補正部により補正された輝度は、所定の画素が有する第１の輝度に近くなり、第１の輝度と第２の輝度との差分が小さくなるにつれて、輝度補正部により補正された輝度は、近傍画素が有する第２の輝度に近くなる。
【００１７】
請求項６に記載の発明は、請求項２〜５のいずれか一項に記載の映像表示装置において、前記差分データ取得部は、前記差分に関するデータとして、前記第１の輝度と、前記所定の画素の近傍に位置する複数の近傍画素の各々が有する第２の輝度との差分を取得し、取得した複数の差分の平均を算出することを要旨としている。
【００１８】
この発明によれば、第１の輝度と第２の輝度との差分に関するデータとして、第１の輝度と所定の画素の近傍に位置する１つの近傍画素が有する第２の輝度との差分を取得する場合に比べて、映像の周波数成分が低い領域を効果的に検出することができる。
【００１９】
請求項７に記載の発明は、請求項１〜６のいずれか一項に記載の映像表示装置において、前記第１の輝度及び前記第２の輝度として色差空間の輝度を前記映像信号から取得する輝度取得部をさらに備えることを要旨としている。
【００２０】
この発明によれば、第１の輝度及び第２の輝度は映像信号から取得された色差空間を表す輝度であるため、ＲＧＢ色空間を表す赤の輝度、緑の輝度、青の輝度のそれぞれを利用してノイズを低減する場合に比べ、ノイズ低減回路の構成を簡単にすることができ、製造コストを抑制することができる。
【発明の効果】
【００２１】
本発明によれば、映像の周波数成分が低い領域において、無線による映像信号の伝送方式がＷＨＤＩ伝送方式であることに起因して発生するノイズを低減することができる。
【発明を実施するための最良の形態】
【００２２】
図１〜図６を参照して、本発明を具体化した実施形態について説明する。
図１に示すように、本実施形態に係る映像表示システムは、映像信号出力装置１と、映像信号出力装置１により出力された映像信号を無線で送信する送信機２と、送信機２により無線で送信された映像信号を受信する受信機３と、受信機３により受信した映像信号に基づいて映像を表示する投写型映像表示装置４により構成されている。送信機２から受信機３への映像信号の伝送方式としてはＷＨＤＩ（Wireless High Definition Interface）伝送方式を使用している。
【００２３】
映像信号出力装置１は、例えば、ＤＶＤプレーヤー、ＰＣ（Personal Computer）、放送受信機等であって、ケーブル５により送信機２と接続されており、ケーブル５を介して映像信号を送信機２へ出力する。ケーブル５としては、例えば、映像信号出力装置１がデジタル放送を受信する放送受信機である場合はＨＤＭＩ（High-Definition Multimedia Interface）信号を伝送するＨＤＭＩケーブルを用い、映像信号出力装置１がＰＣである場合はＤＶＩ（Digital Visual Interface）信号を伝送するＤＶＩケーブルを用いる。また、例えば、映像信号出力装置１がＤＶＤプレーヤーである場合は、ケーブル５としてアナログ方式のコンポーネント信号を伝送するコンポーネントケーブルを用いる。
【００２４】
図２に示すように、送信機２は、映像信号を送信機２に入力するための信号入力部２１と、入力された映像信号を所定のデジタル信号に変換するデジタル信号受信部２２及びＡ／Ｄ変換部２３と、映像信号に対して映像信号処理を施す映像信号処理部２４と、映像信号を無線信号として出力する無線モジュール２５とを備えている。
【００２５】
信号入力部２１は、映像信号出力装置１により出力された映像信号を送信機２に入力するための端子群であって、具体的には、ＨＤＭＩケーブルが接続可能なＨＤＭＩ端子２１ａと、ＤＶＩケーブルが接続可能なＤＶＩ端子２１ｂと、コンポーネントケーブルが接続可能なコンポーネント端子２１ｃとにより構成されている。ＨＤＭＩ端子２１ａまたはＤＶＩ端子２１ｂに接続されたケーブル５を介して送信機２に入力されたデジタル方式の映像信号は、デジタル信号受信部２２に入力され、コンポーネント端子２１ｃに接続されたケーブル５を介して送信機２に入力されたアナログ方式の映像信号は、Ａ／Ｄ変換部２３に入力される。
【００２６】
デジタル信号受信部２２は、ＴＭＤＳ（Transition Minimized Differential Signaling）伝送方式によりＨＤＭＩ端子２１ａまたはＤＶＩ端子２１ｂを経由して送信機２に入力されたデジタル方式の映像信号を、映像信号処理部２４に入力すべき形式のデジタル方式の映像信号にフォーマット変換する集積回路である。デジタル信号受信部２２によりフォーマット変換された映像信号は、映像信号処理部２４に入力される。
【００２７】
Ａ／Ｄ変換部２３は、信号入力部２１を構成するコンポーネント端子２１ｃを経由して送信機２に入力されたアナログ方式の映像信号を、映像信号処理部２４に入力すべき形式のデジタル方式の映像信号に変換するＡ／Ｄ変換器である。Ａ／Ｄ変換部２３によりＡ／Ｄ変換された映像信号は、映像信号処理部２４に入力される。
【００２８】
映像信号処理部２４は、ＨＤＭＩ端子２１ａ及びＤＶＩ端子２１ｂ及びコンポーネント端子２１ｃのいずれかの端子を使用して送信機２に入力された映像信号に対して種々の信号処理を施す集積回路である。例えば、映像信号に含まれる同期信号を処理する同期信号処理や、色空間変換処理等の信号処理を映像信号処理部２４が行う。映像信号処理部２４により信号処理が施された映像信号は無線モジュール２５に入力される。
【００２９】
無線モジュール２５は、５ＧＨｚ帯を利用したＭＩＭＯ（Multiple Input Multiple Output）に対応したＲＦシステムによる送信用モジュールであって、鍵長が２５６ビットであるＡＥＳ（Advanced Encryption Standard）の暗号化方式に基づいて映像信号を暗号化するとともに、複数のアンテナを用いて５ＧＨｚ帯の周波数の電波で映像信号を送信する。このようにして映像信号を送信する送信機２は、２０ＭＨｚの帯域幅で最大１．５Ｇｂｐｓのデータ伝送速度を実現することができ、映像形式が１０８０ｉ／６０Ｈｚであるハイビジョンの映像信号を受信機３へ伝送することができる。
【００３０】
送信機２は、以上の構成要素に加えて、ユーザによって操作される操作部２６と、操作部２６の操作内容に基づいて送信機２の各部を制御する制御部２７と、送信機２に動作状況をユーザに表示する表示部２８とをさらに備えている。
【００３１】
操作部２６は、ユーザにより操作されるボタン等により構成されたユーザインタフェースである。ユーザは、操作部２６を操作することにより、例えば、送信機２に映像信号を入力するために使用する端子として、ＨＤＭＩ端子２１ａ及びＤＶＩ端子２１ｂ及びコンポーネント端子２１ｃのいずれかを選択することができる。
【００３２】
制御部２７は、メモリに記憶されたプログラムに基づき動作するマイコンやＣＰＵ（Central Processing Unit）であって、制御するための信号である制御信号を映像信号処理部２４や無線モジュール２５等に出力することにより送信機２を構成する各部を制御する。
【００３３】
表示部２８は、発光ダイオード（ＬＥＤ）等により構成されており、送信機２に映像信号を入力するために使用される端子として、ＨＤＭＩ端子２１ａ及びＤＶＩ端子２１ｂ及びコンポーネント端子２１ｃのいずれが選択されているかをユーザに表示する。
【００３４】
図３に示すように、受信機３は、投写型映像表示装置４に接続される拡張機器であって、映像信号である無線信号が入力される無線モジュール３１と、入力された映像信号が示す映像（画像）に対して所定の処理を施す画像処理部３２とを備えている。
【００３５】
受信機３が投写型映像表示装置４に接続されることにより、無線モジュール３１は、投写型映像表示装置４が備える制御部５０に接続されるとともに、画像処理部３２は、投写型映像表示装置４が備える映像信号処理部４７及び制御部５０に接続される。このように、投写型映像表示装置４は、受信機３を構成する無線モジュール３１及び画像処理部３２を備えている。
【００３６】
無線モジュール３１は、５ＧＨｚ帯を利用したＭＩＭＯに対応したＲＦシステムによる受信用モジュールであって、受信機３により電波として送信された映像信号を受信するとともに、暗号化されている映像信号を復号化する。このようにして無線モジュール３１で受信した映像信号は画像処理部３２に入力される。
【００３７】
図４に示すように、画像処理部３２は、ノイズ低減回路３３と、遅延回路としてのＶＲＡＭ（Video RAM）３４と、補正係数を取得するためのルックアップテーブルが記憶されたメモリ３５とにより構成された回路であって、無線モジュール３１で受信した映像信号が示す映像（画像）に対して、映像に発生するノイズを低減する処理を行う。画像処理部３２により所定の処理が施された映像を示す映像信号（輝度信号及び色差信号）は映像信号処理部４７に入力される。
【００３８】
ノイズ低減回路３３は、映像信号から輝度Ｙを取得する輝度取得部３６と、複数の輝度Ｙの差分に関するデータを取得する差分データ取得部３７と、差分に関するデータに基づき映像に発生するノイズを低減するための補正係数Ａ，Ｂ，Ｃを取得する補正係数取得部３８と、補正係数Ａ，Ｂ，Ｃを用いて輝度Ｙを補正する輝度補正部３９とを備えている。ノイズ低減回路３３の各部は個々の集積回路により構成することできるが、回路構成の簡略化の観点から、１つの集積回路により構成することが好ましい。
【００３９】
輝度取得部３６は、画像処理部３２に入力された映像信号から、カラースペース変換等を行うことによりＹＣｂＣｒ色空間の輝度Ｙを取得する。取得した輝度Ｙは、ＶＲＡＭ３４及び差分データ取得部３７に入力される。なお、映像信号から分離されるＹＣｂＣｒ色空間の色差Ｃｂ，Ｃｒは色差信号として映像信号処理部４７に入力される。
【００４０】
差分データ取得部３７は、輝度取得部３６により取得した輝度Ｙのうち、所定の画素が有する輝度Ｙｎと、所定の画素の近傍に位置する複数の近傍画素の各々が有する輝度Ｙｎ−２，Ｙｎ−１，Ｙｎ＋１，Ｙｎ＋２との差分を取得して、取得した複数の差分の平均を算出する。本実施形態においては、取得した差分のうち｜Ｙｎ−２−Ｙｎ｜と｜Ｙｎ＋２−Ｙｎ｜とには１／２を掛けることにより差分の加重平均ΔＹを算出する。即ち、差分データ取得部３７は、以下の数式（１）に示す演算処理を行う。
ΔＹ＝｜Ｙｎ−２−Ｙｎ｜／２＋｜Ｙｎ−１−Ｙｎ｜＋｜Ｙｎ＋１−Ｙｎ｜＋｜Ｙｎ＋２−Ｙｎ｜／２  ・・・（１）
なお、ここでいう輝度Ｙは、数値によって表された画素の明るさの度合いであって、画素の明るさを示すビット深度が１０ビットである場合は、輝度Ｙは、０以上１０２３以下の数である。また、ｎは任意の数であって、各輝度Ｙｎ，Ｙｎ−２，Ｙｎ−１，Ｙｎ＋１，Ｙｎ＋２を有する画素は、図５に示すように横方向に隣り合っている。
【００４１】
補正係数取得部３８は、差分データ取得部３７により算出した加重平均ΔＹに基づいて、補正係数Ａ，Ｂ，Ｃを取得する。補正係数Ａ，Ｂ，Ｃは加重平均ΔＹを用いて演算処理を行うことにより算出して取得することもできるが、本実施形態においては、補正係数取得部３８は、図６に示すルックアップテーブルを用いて加重平均ΔＹに対応する補正係数Ａ，Ｂ，Ｃをメモリ３５から取得する。図６に示すように、補正係数Ａは、加重平均ΔＹ（即ち、上記の輝度の差分）が大きくなるにつれて大きくなり、補正係数Ｂ，Ｃは、加重平均ΔＹが大きくなるにつれて小さくなっている。また同一の加重平均ΔＹにおいては、補正係数Ｂは補正係数Ｃに比べて大きくなっており、加重平均ΔＹが所定の数以上であるときは、補正係数Ａは１であり、補正係数Ｂ，Ｃは０である。即ち、補正係数Ａ，Ｂ，Ｃは、常にＡ＋Ｂ＋Ｃ＝１の関係を満たしている。
【００４２】
輝度補正部３９は、補正係数取得部３８により取得した補正係数Ａ，Ｂ，Ｃと、ＶＲＡＭ３４から読み込むことが可能な輝度Ｙｎ，Ｙｎ−２，Ｙｎ−１，Ｙｎ＋１，Ｙｎ＋２を用いて、輝度Ｙｎを補正するために所定の演算処理を行う。具体的には、以下の数式（２）に示すように、輝度Ｙｎと補正係数Ａを掛け合わせた積を算出し、輝度Ｙｎ−１と補正係数Ｂを掛け合わせた積を算出し、輝度Ｙｎ＋１と補正係数Ｂを掛け合わせた積を算出し、輝度Ｙｎ−２と補正係数Ｃを掛け合わせた積を算出し、輝度Ｙｎ＋２と補正係数Ｃを掛け合わせた積を算出する。なお、本実施形態においては、Ｙ’ｎが１０２４以上の数値とならないように、輝度Ｙｎ−１と補正係数Ｂの積、輝度Ｙｎ＋１と補正係数Ｂの積、輝度Ｙｎ−２と補正係数Ｃの積、及び輝度Ｙｎ＋２と補正係数Ｃの積には、それぞれ１／２を掛け合わせた積を算出している。そして、輝度補正部３９は、算出した各々の積を足し合わせる処理を行って、輝度Ｙｎを補正した輝度Ｙ’ｎを算出する。
Ｙ’ｎ＝Ａ・Ｙｎ＋Ｂ・Ｙｎ−１／２＋Ｂ・Ｙｎ＋１／２＋Ｃ・Ｙｎ−２／２＋Ｃ・Ｙｎ＋２／２  ・・・（２）
なお、輝度Ｙｎの補正は、映像を構成する各々の画素に対して行われるが、数式（２）における輝度Ｙｎ−２，Ｙｎ−１，Ｙｎ＋１，Ｙｎ＋２は補正前の輝度Ｙである。
【００４３】
このようにして輝度補正部３９が演算処理を行って映像を構成する各画素を補正することにより、映像の周波数成分が低い領域において、無線による映像信号の伝送方式がＷＨＤＩ伝送方式であることに起因して発生するノイズを低減することができる。
【００４４】
即ち、ノイズ低減回路３３は、輝度の差分が小さく映像の周波数成分が低い領域において、映像を構成する所定の画素が有する輝度Ｙｎが、近傍画素が有する輝度（例えば、輝度Ｙｎ−２，Ｙｎ−１，Ｙｎ＋１，Ｙｎ＋２の全て）に比べて小さい場合に、輝度Ｙｎを補正することにより、ＷＨＤＩ伝送方式に起因して映像に発生するノイズを低減する。
【００４５】
なお、加重平均ΔＹが所定の数以上であるときは、補正係数Ａは１、補正係数Ｂ，Ｃは０であるため、Ｙ’ｎ＝Ｙｎとなる。従って、輝度の差分が大きく映像の周波数成分が高い領域においては、輝度は補正されない。以上のようにして算出された輝度Ｙ’は輝度信号として映像信号処理部４７に入力される。
【００４６】
投写型映像表示装置４は、映像を表示するためのライトバルブとして液晶を用いた液晶プロジェクタであって、映像を投写して表示するための光学部品として超高圧水銀ランプ等により構成された光源４１と、光を透過させて映像を生成する液晶パネル４２と、生成された映像を拡大投写して表示するための投写レンズ４３とを備えている。
【００４７】
液晶パネル４２は、画素がマトリクス状に配置されたマトリクス駆動方式のライトバルブである。液晶パネル４２に駆動電圧が供給されることにより、電極間の液晶の配向が変化して、液晶パネル４２に画像が形成される。そして、画像が形成された液晶パネル４２を光源４１から出射された光が透過することによって映像が生成され、生成された映像が投写レンズ４３によりスクリーンに拡大投写されて表示される。なお、投写型映像表示装置４は、いわゆる３板方式の液晶プロジェクタである場合は、３枚の液晶パネル４２を備えている。この場合、光源４１から出射された光はダイクロイックミラーにより赤、緑、及び青の各色の光に分解されて各色に対応する液晶パネル４２を透過し、３枚の液晶パネル４２を透過した光が合成されることによりフルカラーの映像が生成される。
【００４８】
投写型映像表示装置４は、以上の構成要素に加えて、映像信号を投写型映像表示装置４に入力するための信号入力部４４と、入力された映像信号を所定のデジタル信号に変換するデジタル信号受信部４５及びＡ／Ｄ変換部４６と、映像信号に対して映像信号処理を施す映像信号処理部４７と、液晶ドライバ４８とをさらに備えている。
【００４９】
信号入力部４４は、映像信号を投写型映像表示装置４に直接入力するための端子群であって、具体的には、信号入力部２１と同様に、ＨＤＭＩケーブルが接続可能なＨＤＭＩ端子４４ａと、ＤＶＩケーブルが接続可能なＤＶＩ端子４４ｂと、コンポーネントケーブルが接続可能なコンポーネント端子４４ｃとにより構成されている。投写型映像表示装置４は、このような信号入力部４４を備えることにより、送信機２によって送信された映像信号のみならず、ケーブルを用いて直接接続された映像信号出力装置（不図示）からも映像信号を入力することができる。
【００５０】
デジタル信号受信部４５は、デジタル信号受信部２２と同様に、ＴＭＤＳ伝送方式により、信号入力部４４を構成するＨＤＭＩ端子４４ａまたはＤＶＩ端子４４ｂを経由して投写型映像表示装置４に入力されたデジタル方式の映像信号を、映像信号処理部４７に入力すべき形式のデジタル方式の映像信号にフォーマット変換する集積回路である。デジタル信号受信部４５によりフォーマット変換された映像信号は、映像信号処理部４７に入力される。
【００５１】
Ａ／Ｄ変換部４６は、Ａ／Ｄ変換部２３と同様に、信号入力部４４を構成するコンポーネント端子４４ｃを経由して投写型映像表示装置４に入力されたアナログ方式の映像信号を、映像信号処理部４７に入力すべき形式のデジタル方式の映像信号に変換するＡ／Ｄ変換器である。Ａ／Ｄ変換部４６によりＡ／Ｄ変換された映像信号は、映像信号処理部４７に入力される。
【００５２】
映像信号処理部４７は、受信機３及びＨＤＭＩ端子４４ａ及びＤＶＩ端子４４ｂ及びコンポーネント端子４４ｃのいずれかを用いて投写型映像表示装置４に入力された映像信号に対して種々の信号処理を施す集積回路である。映像信号処理部４７は、例えば、映像信号に含まれる同期信号を処理する同期信号処理や、映像の明るさを調整する処理や、映像のコントラストを調整する処理や、長方形で表示されるべき映像が台形で表示されないように補正する台形歪み補正処理等を行う。映像信号処理部４７により信号処理が施された映像信号は液晶ドライバ４８に入力される。
【００５３】
液晶ドライバ４８は、映像信号に基づいて液晶パネル４２を駆動するための回路であって、液晶ドライバ４８により、映像信号に応じた液晶パネル４２を駆動するための駆動電圧が、液晶パネル４２に設けられた映像を構成する画素に対応した電極に供給される。
【００５４】
操作部４９は、ユーザにより操作されるボタン等により構成されたユーザインタフェースである。ユーザは、操作部４９を操作することにより、例えば、投写型映像表示装置４に映像信号を入力するために、受信機３及びＨＤＭＩ端子２１ａ及びＤＶＩ端子２１ｂ及びコンポーネント端子２１ｃのうちいずれを用いるかを選択することができる。
【００５５】
制御部５０は、制御部２７と同様に、メモリに記憶されたプログラムに基づき動作するマイコンやＣＰＵであって、制御信号を無線モジュール３１や画像処理部３２や映像信号処理部４７等に出力することにより、受信機３並びに投写型映像表示装置４を構成する各部を制御する。
【００５６】
本実施形態の投写型映像表示装置４によれば以下の効果を奏することができる。
（１）映像を構成する所定の画素の輝度Ｙｎが、近傍画素の輝度に比べて小さい場合に、輝度Ｙｎを補正することにより、映像に発生するノイズを低減するノイズ低減回路３３を備えている。このため、このノイズ低減回路３３に受信した映像信号を入力することにより、映像の周波数成分が低い領域において、無線による映像信号の伝送方式がＷＨＤＩ伝送方式であることに起因して発生するノイズを低減することができる。
【００５７】
（２）ノイズ低減回路３３は、輝度Ｙｎと、輝度Ｙｎ−２，Ｙｎ−１，Ｙｎ＋１，Ｙｎ＋２との差分に関するデータを取得する差分データ取得部３７を備えているため、映像の周波数成分が低い領域を検出することができる。そして取得した差分に関するデータに基づき、ノイズを低減するための補正係数Ａを取得する補正係数取得部３８と、補正係数Ａを用いて輝度Ｙｎを補正する輝度補正部３９とを備えているため、補正係数Ａと輝度Ｙｎを用いて演算処理を行うことにより、映像に発生するノイズを低減することができる。
【００５８】
（３）輝度補正部３９は、補正係数Ａ，Ｂ，Ｃと輝度Ｙｎ−２，Ｙｎ−１，Ｙｎ＋１，Ｙｎ＋２を用いて輝度Ｙｎを補正するため、補正係数Ａ，Ｂ，Ｃと輝度Ｙｎと輝度Ｙｎ−２，Ｙｎ−１，Ｙｎ＋１，Ｙｎ＋２を用いて演算処理を行うことにより、映像に発生するノイズを効果的に低減することができる。
【００５９】
（４）輝度補正部３９は、輝度Ｙｎを補正するための所定の演算処理として、輝度Ｙｎと補正係数Ａを少なくとも掛け合わせた積を算出して、輝度Ｙｎ−２，Ｙｎ＋２と補正係数Ｃを少なくとも掛け合わせた積を算出して、輝度Ｙｎ−１，Ｙｎ＋１と補正係数Ｂを少なくとも掛け合わせた積を算出して、さらに算出した積を足し合わせる処理を行う。このため、掛けて足し合わせる簡単な演算処理を行うことにより、映像に発生するノイズを低減することができる。
【００６０】
（５）補正係数Ａは、補正係数Ａは、加重平均ΔＹが大きくなるにつれて大きくなり、補正係数Ｂ，Ｃは、加重平均ΔＹが大きくなるにつれて小さくなっている。このため、輝度Ｙｎと輝度Ｙｎ−２，Ｙｎ−１，Ｙｎ＋１，Ｙｎ＋２との差分が大きくなるにつれて、補正後の輝度Ｙ’ｎは輝度Ｙｎに近くなり、輝度Ｙｎと輝度Ｙｎ−２，Ｙｎ−１，Ｙｎ＋１，Ｙｎ＋２との差分が小さくなるにつれて、補正後の輝度Ｙ’ｎは輝度Ｙｎ−２，Ｙｎ−１，Ｙｎ＋１，Ｙｎ＋２に近くなる。
【００６１】
（６）差分データ取得部３７は、差分に関するデータとして、輝度Ｙｎと、輝度Ｙｎ−２，Ｙｎ−１，Ｙｎ＋１，Ｙｎ＋２との差分を取得し、取得した複数の差分の加重平均ΔＹを算出する。このため、差分に関するデータとして、輝度Ｙｎと、１つの近傍画素の輝度（例えば、輝度Ｙｎ−１または輝度Ｙｎ＋１）との差分を取得する場合に比べて、映像の周波数成分が低い領域を効果的に検出することができる。
【００６２】
（７）ノイズ低減回路３３は、輝度Ｙｎ及び輝度Ｙｎ−２，Ｙｎ−１，Ｙｎ＋１，Ｙｎ＋２として輝度軸を含む色差空間であるＹＣｂＣｒ色空間の輝度Ｙを映像信号から取得する輝度取得部３６を備えている。従って、ＲＧＢ色空間を表す赤の輝度Ｒ、緑の輝度Ｇ、青の輝度Ｂのそれぞれを利用してノイズを低減する場合に比べ、ノイズ低減回路３３の構成を簡単にすることができ、製造コストを抑制することができる。
【００６３】
（その他の実施形態）
本発明は、上記実施形態に限定されるものではなく、本発明の趣旨に基づいて種々の設計変更をすることが可能であり、それらを本発明の範囲から除外するものではない。例えば、以下に示すように変更して実施することもできる。
【００６４】
・上記実施形態においては、受信機３は投写型映像表示装置４の拡張機器であり投写型映像表示装置４が受信機３を備える構成であったが、投写型映像表示装置４と受信機３とがケーブルを介して接続される別個の電子機器であってもよい。
【００６５】
・上記実施形態においては、受信機３にノイズ低減回路３３を備える画像処理部３２が設けられていたが、投写型映像表示装置４にノイズ低減回路３３を備える画像処理部（不図示）が設けられていてもよい。
【００６６】
・上記実施形態においては、輝度取得部３６は、輝度ＹとしてＹＣｂＣｒ色空間の輝度Ｙを映像信号から取得していたが、ＲＧＢ色空間の各色の輝度Ｒ，Ｇ，Ｂを映像信号から取得してもよい。この場合、各輝度Ｒ，Ｇ，Ｂを補正することにより上記ノイズを低減することができる。
【００６７】
・上記実施形態においては、差分に関するデータとして、所定の画素が有する輝度Ｙｎと、所定の画素の近傍に位置する４つの近傍画素の各々が有する輝度Ｙｎ−２，Ｙｎ−１，Ｙｎ＋１，Ｙｎ＋２との差分を取得していたが、差分を取得するための近傍画素の個数は適宜変更してもよい。
【００６８】
・上記実施形態においては、加重平均ΔＹと補正係数Ａ，Ｂ，Ｃは図６に示す関係であったが、加重平均ΔＹと補正係数Ａ，Ｂ，Ｃの関係は図６に示すものに限られない。また、補正係数Ａ，Ｂ，Ｃを取得するための差分に関するデータは、加重平均ΔＹに限られず、例えば差分の平均に基づいて補正係数を取得するようにしてもよい。
【００６９】
・上記実施形態においては、輝度Ｙ’ｎの算出に用いる補正係数Ａ，Ｂ，Ｃは３つであったが、補正係数の個数は限られるものではなく、輝度Ｙ’ｎの算出に用いる近傍画素の個数は適宜変更してもよい。
【００７０】
・上記実施形態においては、映像表示装置は映像を投写して表示する投写型映像表示装置であったが、液晶テレビ等の映像表示装置についても上記実施形態に準じた態様をもって適用することはできる。
【図面の簡単な説明】
【００７１】
【図１】本発明の実施形態に係る映像表示システムの構成を示すブロック図。
【図２】本実施形態に係る送信機の構成を示すブロック図。
【図３】本実施形態に係る受信機及び映像表示装置の構成を示すブロック図。
【図４】本実施形態に係る画像処理部の構成を示すブロック図。
【図５】映像を構成する画素と、画素が有する輝度との関係を示す模式図。
【図６】補正係数を取得するためのルックアップテーブルを示すグラフ。
【符号の説明】
【００７２】
１…映像信号出力装置、２…送信機、３…受信機、４…投写型映像表示装置、５…ケーブル、２１…信号入力部、２１ａ…ＨＤＭＩ端子、２１ｂ…ＤＶＩ端子、２１ｃ…コンポーネント端子、２２…デジタル信号受信部、２３…Ａ／Ｄ変換部、２４…映像信号処理部、２５…無線モジュール、２６…操作部、２７…制御部、２８…表示部、３１…無線モジュール、３２…画像処理部、３３…ノイズ低減回路、３４…ＶＲＡＭ、３５…メモリ、３６…輝度取得部、３７…差分データ取得部、３８…補正係数取得部、３９…輝度補正部、４１…光源、４２…液晶パネル、４３…投写レンズ、４４…信号入力部、４４ａ…ＨＤＭＩ端子、４４ｂ…ＤＶＩ端子、４４ｃ…コンポーネント端子、４５…デジタル信号受信部、４６…Ａ／Ｄ変換部、４７…映像信号処理部、４８…液晶ドライバ、４９…操作部、５０…制御部。
【図１】
2010074670.tif 000003
【図２】
2010074670.tif 000004
【図３】
2010074670.tif 000005
【図４】
2010074670.tif 000006
【図５】
2010074670.tif 000007
【図６】
2010074670.tif 000008